【事件の表示】
　平成１１年特許願第３７４６１１号「似顔絵作成装置及び似顔絵作成方法」拒絶査定不服審判事件〔平成１２年　８月２２日出願公開、特開２０００−２３１６４１〕について、次のとおり審決する。
【結　論】
　本件審判の請求は、成り立たない。
【理　由】
１．手続きの経緯・本願発明
　本願は、平成４年１２月３０日に出願した特願平４−３５９８４９号の一部を、平成１１年１２月２８日に新たな特許出願としたものであって、その請求項１〜６に係る発明は、平成１４年１月１８日付け及び平成１４年５月１５日付けの手続補正によって補正された明細書及び図面の記載からみて、特許請求の範囲の請求項１〜６に記載されたとおりのものと認められるところ、請求項１に係る発明（以下、「本願発明」という。）は、次のとおりのものである。
　
「【請求項１】似顔絵画像を構成する複数の部位毎に複数のパーツ画像を記憶しているパーツ画像記憶手段をアクセスし、このパーツ画像記憶手段に記憶されている複数のパーツ画像を組み合わせて似顔絵画像を作成する似顔絵作成装置において、
　前記パーツ画像記憶手段に記憶されている複数のパーツ画像を組み合わせて似顔絵画像を作成する第１の似顔絵作成手段と、
　この第１の似顔絵作成手段により作成された第１の似顔絵画像を表示させる第１の表示制御手段と、
　個人データを入力する個人データ入力手段と、
　この個人データ入力手段により個人データが入力された際に当該個人データを表示させる第２の表示制御手段と、
　前記個人データ入力手段により入力された個人データと前記第１の似顔絵作成手段により作成された第１の似顔絵画像を構成する複数のパーツ画像それぞれを指定するパーツ画像指定データとを対応付けて複数組記憶するデータ記憶手段と
、
　このデータ記憶手段に対し前記個人データと前記画像指定データとを対応付けて記憶した後、外部から被検索データが入力されると、この入力された被検索データと一致する個人データがあるか否かを判別する一致判別手段と、
　この一致判別手段により一致検出がなされたら、一致判別された個人データと当該個人データに対応付けて記憶されている一組のパーツ画像指定データを前記データ記憶手段から読み出す第１の読出手段と、
　この第１の読出手段により読み出された一組のパーツ画像指定データにより指定された複数のパーツ画像を前記パーツ画像記憶手段から読み出し、この読み出された複数のパーツ画像を組み合わせて第２の似顔絵画像を作成する第２の似顔絵作成手段と、
　この似顔絵作成手段により作成された第２の似顔絵画像と前記一致判別された個人データとを同一画面上に表示させる第３の表示制御手段と、
　を具備していることを特徴とする似顔絵作成装置。」
　
２．引用刊行物
　原審の拒絶の理由で引用した特開平３−１２９５７２号公報（平成３年６月３日出願公開）（以下、「引用例１」という。）には、図面と共に次の各記載がある。
　
（ア）「［発明が解決しようとする課題］
　しかし、従来の電子手帳によると、表示部に名前、電話番号、住所等を表示できるが、顔は個人の記憶に頼っているため、表示された情報だけでは顔が思い出せなかったり、名前と顔が一致しなかったりすることがある。
　一方、パソコンにおいて、顔写真をスキャナーで走査して画像データとしてメモリに格納し、必要なときに読み出してその顔をディスプレイに表示するようにしたものがあるが、電子手帳のデータメモリは画像データをそのまま記憶する容量を有していない。
　従って、本発明の目的は、データメモリの記憶容量を増加せずに個人の顔データを記憶することができるモンタージュ表示型電子手帳を提供することである。
［問題を解決するための手段］
　本発明は上記の目的を解決するため、顔を複数の構成要素に分解し、各構成要素毎に複数のパターンを用意し、記憶すべき顔に最も近似したパターンを各構成要素毎に複数のパターンから選択し、選択した各パターンを組合わせたデータを顔データとして記憶し、必要なときに、顔データによる顔を表示するようにしたモンタージュ表示型電子手帳を提供する。
　即ち、本発明のモンタージュ表示型電子手帳は、顔を構成する複数の要素毎に準備された複数のパターンを記憶した記憶手段と、
　前記パターンを表示する表示手段と、
　前記要素毎に前記複数のパターンから１つのパターンを選択し、この選択されたパターンを所定の位置に配置することによって組合せ、この組合わせたパターンを前記記憶手段に記憶させ、表示指令によりその組合せパターンを前記表示手段に表示させる制御手段を備えている。」（第１頁下右欄第８行〜第２頁上右欄第２行）
　
（イ）「［実施例］
（前略）
　以下、本発明の動作を説明する。
　被登録者の名刺にプリントされているバーコードをリーダ１２で読み取り、氏名、電話番号等のデータを内部メモリ７に格納する。次に、キーボード４からモンタージュ作成の指令を入力すると、表示部１０に「モンタージュ」、および「男性」、「女性」の表示が行われる。ここで、「男性」が選択されたと仮定する。男性の顔を構成する部品（要素）、各部品の番号最大値（パターン数）、各部品の位置変更の可否の一例を示すと、以下の通りである。
　　　　　　　男性用
　部品名　　番号最大値　　位置変更の可否
　りんかく　　　４　　　　　　　不可
　髪型　　　　２３　　　　　　　不可
　顎髭　　　　　４　　　　　　　　可
　眉　　　　　３１　　　　　　　　可
　目　　　　　３１　　　　　　　　可
　眼鏡　　　　１１　　　　　　　　可
　鼻　　　　　３０　　　　　　　　可
　口　　　　　３１　　　　　　　　可
　
　部品名　　番号最大値　　位置変更の可否
　口髭　　　　１０　　　　　　　　可
　
　一方、女性の顔を構成する部品、各部品の番号最大値、各部品の位置変更の可否の一例を示すと、以下の通りである。
　　　　　　　女性用
　部品名　　番号最大値　　位置変更の可否
　りんかく　　　４　　　　　　　不可
　髪型　　　　１２　　　　　　　不可
　前髪　　　　１８　　　　　　　　可
　眉　　　　　３１　　　　　　　　可
　目　　　　　３１　　　　　　　　可
　眼鏡　　　　１１　　　　　　　　可
　鼻　　　　　３０　　　　　　　　可
　口　　　　　３１　　　　　　　　可
　
　キーボード４のカーソルキーと、次頁／前頁キー、実行キー、取消キーを使って表示部１０の右側の所定の領域にモンタージュを作成する。これらの各キーの機能は以下の通りである。
　
　キー　　　　　　　機能
　次頁　　　　　部品を上から順に切り換える
　前頁　　　　　部品を逆順に切り換える
　カーソル右　　部品番号を＋１する
　　　　　左　　部品番号を−１する
　カーソル下　　部品の上下位置を＋１する
　カーソル上　　部品の上下位置を−１する
　実行　　　　　モンタージュを登録する
　取消　　　　　モンタージュ作成を中止する
　
　まず、表示部１０に男性用の顔のりんかくを表示する。番号最大値が４であるから４つのパターンを利用することができる。この中から被登録者の顔に最も近似した番号を選ぶ。番号の選択はカーソルキーの左右により増減する。ただし、りんかくは位置変更ができない。このようにして、表示部１０の表示を見ながらりんかくから口髭までの各部品について、被登録者の顔に最も近似した番号の部品を選んで内部メモリ７へ格納する。内部メモリ７への格納は各部品について、８ビットのデータで行われる。
　例えば、第２図（ａ）は部品として口髭を、部品の番号として「１」をデータとして示している。また、位置：「０」は位置変更を実行しないことを表している。位置変更するときは、位置変更指令を入力して位置：「１」とした後、カーソルキーで実行する。これを８ビットのデータで表すと
　００００１１００
となる。上位５ビットは、１０パターンの口髭から１番のパターンの口髭を選択したことを表し、下位３ビットは、「−４」から「＋３」の８つの位置の中から登録されたままの位置変更を行っていない位置を選択したことを表す。このようにして、りんかくから口髭までの９つの部品は９バイトのデータで指定され、男性を示す１バイトのデータとともに内部メモリ７に登録される。登録は前述した通り、実行キーによって行われる。
　第２図（ａ）〜（ｄ）は表示部１０の表示例を示し、部品として口髭、りんかく、眼鏡、髪型を選択している状態であり、それぞれの番号のパターンが選択されている。ただし、第２図（ｃ）では、番号が「なし」となっているが、これは選択中でまだ未決定であることを示す。決定したとき、実行キーによって内部メモリ７へ登録する。
　電子手帳の所持者は名刺管理を行って被登録者の顔を思い出せないときは、キーボード４から内部メモリ７に登録されているモンタージュを表示させる指令を入力すると、そのモンタージュが表示部に表示される。このモンタージュは被登録者の顔に最も近似した部品を複数の中から選択して組合わせたものであるから、被登録者を思い出させる手がかりとなる。しかも、男性一人１０バイトのデータで済むのでメモリ容量を増加させる必要はない。」（第２頁上右欄第３行〜第３頁下右欄第１４行）
　
（ウ）「［発明の効果］
　以上説明した通り、本発明のモンタージュ表示型電子手帳によると、顔を複数の構成要素に分割し、各構成要素毎に複数のパターンを用意し、記憶すべき顔に最も近似したパターンを各構成要素毎に複数のパターンから選択し、選択した各パターンを組合わせたデータを記憶し、必要なときにそのパターンの組合せによる顔を表示するようにしたため、データメモリの記憶容量を増加せずに個人の顔データを記憶することができる。」（第３頁下右欄第１５行〜第４頁上左欄第４行）
　
　以上の記載（ア）〜（ウ）からみて、引用例１には次のような発明が記載されているものと認められる。
　「モンタージュを構成する複数の部品（要素）毎に複数のパターンを記憶している内部メモリ７のＲＯＭ部をアクセスし、この内部メモリ７のＲＯＭ部に記憶されている複数のパターンを組み合わせてモンタージュを作成するモンタージュ表示型電子手帳において、
　前記内部メモリ７のＲＯＭ部に記憶されている複数のパターンを組み合わせて新規に登録すべきモンタージュを作成するモンタージュ作成手段と、
　この第１のモンタージュ作成手段により作成された第１のモンタージュを表示させる第１の表示制御手段と、
　氏名、電話番号等の個人データを入力するバーコードリーダ１２と、
　前記バーコード１２により入力された氏名、電話番号等の個人データと前記第１のモンタージュ作成手段により作成された第１のモンタージュを構成する複数のパターンそれぞれを指定するパターン指定データを複数組記憶する内部メモリ７のＲＡＭ部と、
　この内部メモリ７のＲＡＭ部に対し前記個人データと前記パターン指定データとを記憶した後、外部からモンタージュ表示指令が入力されると、この入力されたモンタージュ表示指令のデータと一致する個人データがあるか否かを判別する一致判別手段と、
　この一致判別手段により一致検出がなされたら、一致判別された個人データと一組のパターン指定データを前記内部メモリ７のＲＡＭ部から読み出す第１の読み出し手段と、
　この第１の読出手段により読み出された一組のパターン指定データを前記内部メモリ７のＲＡＭ部から読み出し、この読み出された複数のパターンを組み合わせて第２のモンタージュを作成する第２のモンタージュ作成手段と、
　このモンタージュ作成手段により作成された第２のモンタージュを表示させる第３の表示制御手段と、
を具備しているモンタージュ表示型電子手帳。」
　
３．対比
　本願発明と引用例１に記載された発明とを対比すると、
　引用例１に記載された発明の(1)「モンタージュ」、(2)「部品（要素）」、(3)「パターン」、及び(4)「パターンの組合せを指定するデータ」は、それぞれ、本願発明の(1)「似顔絵画像」、(2)「部位」、(3)「パーツ画像」、及び（４）「パーツ画像指定データ」に相当することは明かである。
　また、引用例１に記載された発明の(i)「内部メモリ７のＲＯＭ部」、(ii)「内部メモリ７のＲＡＭ部」、(iii)「新規にモンタージュを作成する手段」、(iv)「登録済みのパターンの組合せを指定するデータに基づいてモンタージュを作成する手段」、(v)「バーコードリーダ１２」、(vi)「ＬＣＤ表示部１０を表示制御する手段」、及び(vii)「モンタージュ表示型電子手帳」、は、それぞれ、本願発明の(i)「パーツ画像記憶手段」、(ii)「データ記憶手段」、(iii)「第１の似顔絵作成手段」、(iv)「第２の似顔絵作成手段」、(v)「個人データ入力手段」、(vi)「表示制御手段」、及び(vii)「似顔絵作成装置」に相当することも明かである。
　そして、引用例１には、モンタージュを構成する複数の部品（要素）毎に複数のパターンを記憶している内部メモリ７のＲＯＭ部をアクセスし、この内部メモリ７に記憶されている複数のパターンを組み合わせてモンタージュを作成するモンタージュ表示型電子手帳が記載されている（前記（ア）〜（ウ）参照。）から、本願発明と引用例１に記載された発明とは、
　「似顔絵画像を構成する複数の部位毎に複数のパーツ画像を記憶しているパーツ画像記憶手段をアクセスし、このパーツ画像記憶手段に記憶されている複数のパーツ画像を組み合わせて似顔絵画像を作成する似顔絵作成装置」
である点において相違しない。
　引用例１には、
　「キーボード４からモンタージュ作成の指令を入力すると、
（中略）　
　キーボード４のカーソルキーと、次頁／前頁キー、実行キー、取消キーを使って表示部１０の右側の所定の領域にモンタージュを作成する。
（中略）
　このようにして、りんかくから口髭までの９つの部品は９バイトのデータで指定され、男性を示す１バイトのデータとともに内部メモリ７に登録される。登録は前述した通り、実行キーによって行われる。」（前記（イ）参照。）
との記載がなされており、この記載からみるに、本願発明と引用例１に記載された発明とは、
　「前記パーツ画像記憶手段に記憶されている複数のパーツ画像を組み合わせて似顔絵画像を作成する第１の似顔絵作成手段」を有する点で相違しない。
　引用例１には、
　「第２図（ａ）〜（ｄ）は表示部１０の表示例を示し、部品として口髭、りんかく、眼鏡、髪型を選択している状態であり、それぞれの番号のパターンが選択されている。ただし、第２図（ｃ）では、番号が「なし」となっているが、これは選択中でまだ未決定であることを示す。決定したとき、実行キーによって内部メモリ７へ登録する。」（前記（イ）参照。）
との記載がなされており、この記載からみるに、引用例１に記載された発明は、第１のモンタージュ作成手段により作成された第１のモンタージュを表示させる表示制御手段を有することは明かであるから、本願発明と引用例１に記載された発明とは、
　「この第１の似顔絵作成手段により作成された第１の似顔絵画像を表示させる第１の表示制御手段」を有する点で相違しない。
　引用例１には、バーコードリーダ１２により氏名、電話番号等の個人データを内部メモリ７に格納することが記載されている（前記（イ）参照。）から、本願発明と引用例１に記載された発明とは、
　「個人データを入力する個人データ入力手段」
を有する点で相違しない。
　引用例１には、i)「内部メモリ７への格納は各部品について、８ビットのデータで行われる。
　例えば、第２図（ａ）は部品として口髭を、部品の番号として「１」をデータとして示している。また、位置：「０」は位置変更を実行しないことを表している。位置変更するときは、位置変更指令を入力して位置：「１」とした後、カーソルキーで実行する。これを８ビットのデータで表すと
　００００１１００
となる。上位５ビットは、１０パターンの口髭から１番のパターンの口髭を選択したことを表し、下位３ビットは、「−４」から「＋３」の８つの位置の中から登録されたままの位置変更を行っていない位置を選択したことを表す。このようにして、りんかくから口髭までの９つの部品は９バイトのデータで指定され、男性を示す１バイトのデータとともに内部メモリ７に登録される。登録は前述した通り、実行キーによって行われる。」（前記（イ）参照。）、
　ii)「電子手帳の所持者は名刺管理を行って被登録者の顔を思い出せないときは、キーボード４から内部メモリ７に登録されているモンタージュを表示させる指令を入力すると、そのモンタージュが表示部に表示される。このモンタージュは被登録者の顔に最も近似した部品を複数の中から選択して組合わせたものであるから、被登録者を思い出させる手がかりとなる。しかも、男性一人１０バイトのデータで済むのでメモリ容量を増加させる必要はない。」（前記（イ）参照。）
との記載がなされており、これらの記載i)及びii)からみるに、引用例１に記載された発明は、個人データと第１のモンタージュを構成する複数のパターンそれぞれを指定するパターン指定データとを複数組内部メモリ７に記憶していることは、明かであるから、本願発明と引用例１に記載された発明とは、
　「前記個人データ入力手段により入力された個人データと前記第１の似顔絵作成手段により作成された第１の似顔絵画像を構成する複数のパーツ画像それぞれを指定するパーツ画像指定データとを複数組記憶するデータ記憶手段」
を有する点で相違しない。
　引用例１には、
　i)「電子手帳の所持者は名刺管理を行って被登録者の顔を思い出せないときは、キーボード４から内部メモリ７に登録されているモンタージュを表示させる指令を入力すると、そのモンタージュが表示部に表示される。このモンタージュは被登録者の顔に最も近似した部品を複数の中から選択して組合わせたものであるから、被登録者を思い出させる手がかりとなる。しかも、男性一人１０バイトのデータで済むのでメモリ容量を増加させる必要はない。」（前記（イ）参照。）、
　ii)「［発明の効果］
　以上説明した通り、本発明のモンタージュ表示型電子手帳によると、顔を複数の構成要素に分割し、各構成要素毎に複数のパターンを用意し、記憶すべき顔に最も近似したパターンを各構成要素毎に複数のパターンから選択し、選択した各パターンを組合わせたデータを記憶し、必要なときにそのパターンの組合せによる顔を表示するようにしたため、データメモリの記憶容量を増加せずに個人の顔データを記憶することができる。」（前記（ウ）参照。）
との記載がなされており、これらの記載i)及びii)、更に電子手帳の基本的機能として個人データを検索し表示することが自明であることに鑑みれば、引用例１には、モンタージュ表示指令を入力すると、個人データを基に入力するとそれに関連するパターンの組合せデータを探し出し、もし存在するならばモンタージュを作成して表示することが記載されているから、本願発明と引用例１に記載された発明とは、
　「このデータ記憶手段に対し前記個人データと前記画像指定データとを記憶した後、外部から被検索データが入力されると、この入力された被検索データと一致する個人データがあるか否かを判別する一致判別手段と、
　この一致判別手段により一致検出がなされたら、一致判別された個人データと一組のパーツ画像指定データを前記データ記憶手段から読み出す第１の読出手段と、
　この第１の読出手段により読み出された一組のパーツ画像指定データにより指定された複数のパーツ画像を前記パーツ画像記憶手段から読み出し、この読み出された複数のパーツ画像を組み合わせて第２の似顔絵画像を作成する第２の似顔絵作成手段」
を有する点で相違しない。
　そうすると、本願発明と引用例１に記載された発明とは、
（一致点）
　「似顔絵画像を構成する複数の部位毎に複数のパーツ画像を記憶しているパーツ画像記憶手段をアクセスし、このパーツ画像記憶手段に記憶されている複数のパーツ画像を組み合わせて似顔絵画像を作成する似顔絵作成装置において、
　前記パーツ画像記憶手段に記憶されている複数のパーツ画像を組み合わせて似顔絵画像を作成する第１の似顔絵作成手段と、
　この第１の似顔絵作成手段により作成された第１の似顔絵画像を表示させる第１の表示制御手段と、
　個人データを入力する個人データ入力手段と、
　前記個人データ入力手段により入力された個人データと前記第１の似顔絵作成手段により作成された第１の似顔絵画像を構成する複数のパーツ画像それぞれを指定するパーツ画像指定データとを複数組記憶するデータ記憶手段と
、
　このデータ記憶手段に対し前記個人データと前記画像指定データとを記憶した後、外部から被検索データが入力されると、この入力された被検索データと一致する個人データがあるか否かを判別する一致判別手段と、
　この一致判別手段により一致検出がなされたら、一致判別された個人データと一組のパーツ画像指定データを前記データ記憶手段から読み出す第１の読出手段と、
　この第１の読出手段により読み出された一組のパーツ画像指定データにより指定された複数のパーツ画像を前記パーツ画像記憶手段から読み出し、この読み出された複数のパーツ画像を組み合わせて第２の似顔絵画像を作成する第２の似顔絵作成手段と、
　この似顔絵作成手段により作成された第２の似顔絵画像を画面上に表示させる第３の表示制御手段と、
を具備していることを特徴とする似顔絵作成装置。」
である点で一致し、次の３点で相違する。
　
（相違点１）
　本願発明が、個人データ入力手段により個人データが入力された際に当該個人データを表示させる第２の表示制御手段を有するのに対し、引用例１に記載された発明は、被登録者の名刺にプリントされているバーコードをリーダ１２で読み取り、氏名、電話番号等の個人データを内部メモリ７に格納するものではあるが、該読み取った個人データを表示させるとは明記しない点。
　
（相違点２）
　本願発明が、似顔絵作成手段により作成された第２の似顔絵画像と前記一致判別された個人データとを同一画面上に表示させる第３の表示制御手段を有するのに対し、引用例１に記載された発明は、モンタージュ画像と個人データとを同一画面上に表示させるとは明記しない点。
　
（相違点３）
　本願発明が、個人データとパーツ画像指定データとを対応づけて記憶しているのに対し、引用例１に記載された発明は、個人データとパターンの組合せを指定するデータとを対応づけて記憶しているとは明記しない点。
　
４．当審の判断
（相違点１について）
　入力されたデータを確認のために表示装置にエコー表示することは、通常行われている技術常識であるから、引用例１に記載された発明に該周知技術事項を転用して、個人データが入力された際に当該個人データを表示させるように構成することは、当業者が適宜なし得ることである。
　
（相違点２について）
　引用例１に記載の「電子手帳の所持者は名刺管理を行って被登録者の顔を思い出せないとき」（前記（イ）参照。）とは、「氏名、電話番号等の個人データ」を表示部１０に表示させている状態であることは、明かであり、
　そして、関連するデータを同一画面上に表示することは、通常行われている技術常識であるから、引用例１に記載された発明に該周知技術事項を転用して、似顔絵画像と関連する個人データとを同一画面上に表示することは、当業者が適宜なし得ることである。
　
（相違点３について）
　引用例１の次の記載
 「被登録者の名刺にプリントされているバーコードをリーダ１２で読み取り、氏名、電話番号等のデータを内部メモリ７に格納する。次に、キーボード４からモンタージュ作成の指令を入力する
（中略）
　キーボード４のカーソルキーと、次頁／前頁キー、実行キー、取消キーを使って表示部１０の右側の所定の領域にモンタージュを作成する。
（中略）
　このようにして、表示部１０の表示を見ながらりんかくから口髭までの各部品について、被登録者の顔に最も近似した番号の部品を選んで内部メモリ７へ格納する。内部メモリ７への格納は各部品について、８ビットのデータで行われる。
（中略）
　これを８ビットのデータで表すと
　００００１１００
となる。上位５ビットは、１０パターンの口髭から１番のパターンの口髭を選択したことを表し、下位３ビットは、「−４」から「＋３」の８つの位置の中から登録されたままの位置変更を行っていない位置を選択したことを表す。このようにして、りんかくから口髭までの９つの部品は９バイトのデータで指定され、男性を示す１バイトのデータとともに内部メモリ７に登録される。登録は前述した通り、実行キーによって行われる。」（前記（イ）参照。）
からみるに、引用例１に記載された発明では、氏名、電話番号等の個人データと、モンタージュを表す組合せパターンを指定するデータとは、共に内部メモリ７に格納されることは、明かである。
　また、引用例１の次の各記載
「電子手帳の所持者は名刺管理を行って被登録者の顔を思い出せないときは、キーボード４から内部メモリ７に登録されているモンタージュを表示させる指令を入力すると、そのモンタージュが表示部に表示される。このモンタージュは被登録者の顔に最も近似した部品を複数の中から選択して組合わせたものであるから、被登録者を思い出させる手がかりとなる。しかも、男性一人１０バイトのデータで済むのでメモリ容量を増加させる必要はない。」（前記（イ）参照。）
　「以上説明した通り、本発明のモンタージュ表示型電子手帳によると、顔を複数の構成要素に分割し、各構成要素毎に複数のパターンを用意し、記憶すべき顔に最も近似したパターンを各構成要素毎に複数のパターンから選択し、選択した各パターンを組合わせたデータを記憶し、必要なときにそのパターンの組合せによる顔を表示するようにしたため、データメモリの記憶容量を増加せずに個人の顔データを記憶することができる。」（前記（ウ）参照。）
からみるに、引用例１に記載された発明では、モンタージュ表示指令を入力すると、個人データに基づきモンタージュを表す組合せパターンを指定するデータを内部メモリ７から読出し、該データを基にモンタージュを作成し、表示部１０に表示させているから、個人データとモンタージュを表す組合せパターンを指定するデータとは、互いに関連づけられて内部メモリ７に格納されていることは、明かである。
　そして関連する情報をポインタ等で対応付けて記憶することは、通常良く行われている技術常識であるから、引用例１に記載された発明に該周知技術事項を転用して、個人データとパターンの組合せを指定するデータとを対応づけてメモリに記憶することは、当業者が適宜なし得ることである。
　
５．むすび
　以上のとおり、本願発明は、引用例１に記載された発明と周知技術とに基いて当業者が容易に発明をすることができたものであるから、特許法第２９条第２項の規定により特許を受けることができない。
　よって、結論のとおり審決する。